(57)【要約】【課題】  無線通信機能および付加機能を有する携帯端末装置において、付加機能のみの動作を自動的に停止することを可能とする。【解決手段】  音声出力を伴う付加機能の動作中に起動するタイマ２０と、タイマ２０の動作の指示を入力するキー操作部１４と、無線通信機能と前記付加機能とが動作中に、タイマ２０がタイムアウトすると、前記付加機能の動作を停止する制御部１１とを備える。【選択図】    図１
2006203427.tif 000002
【特許請求の範囲】
【請求項１】
無線通信機能と、音声出力を伴う付加機能とを含む複数の処理機能を有する携帯端末装置において、
前記付加機能の動作中に起動するタイマと、
前記タイマの動作の指示を入力する入力手段と、
前記無線通信機能と前記付加機能とが動作中に、前記タイマがタイムアウトすると、前記付加機能の動作を停止する制御手段と、
を備えたことを特徴とする携帯端末装置。
【請求項２】
前記制御手段は、前記タイマの計時経過時間を取得し、該計時経過時間に応じて前記音声出力の出力量を変更することを特徴とする請求項１に記載の携帯端末装置。
【請求項３】
出力値を記憶する記憶手段を備え、
前記付加機能は、前記記憶手段に記憶される出力値に応じた出力量での音声出力を行い、
前記制御手段は、前記出力値を更新することにより前記計時経過時間に応じた音声出力の出力量を変更することを特徴とする請求項２に記載の携帯端末装置。
【請求項４】
前記制御手段は、前記計時経過時間に応じて前記出力値を段階的に減少させることを特徴とする請求項３に記載の携帯端末装置。
【請求項５】
前記タイマは、前記入力手段からの指示によるタイマ時間を計時し、タイムアウト時に割込み信号を発生し、
前記制御手段は、前記付加機能の動作中に前記割込み信号を監視し、前記割込み信号の検出時に前記付加機能のみの動作を停止することを特徴とする請求項１から４のいずれか一の項に記載の携帯端末装置。
【請求項６】
前記タイマは、前記計時経過時間を示す割込み信号を発生し、
前記制御手段は、前記タイマからの割込み信号に基づいて計時経過時間を判断することを特徴とする請求項５に記載の携帯端末装置。
【請求項７】
前記制御手段は、前記入力手段により前記タイマの動作が指示されると、前記無線通信機能による着信又は電子メール受信の動作を制限することを特徴とする請求項１から６のいずれか一の項に記載の携帯端末装置。
【請求項８】
着信・メール受信条件を記憶する記憶手段を備え、
前記制御手段は、着信又は電子メール受信時に発信アドレスを判定し、該発信アドレスが、前記着信・メール受信条件に基づき、着信・メール受信可に指定された条件に不一致である場合に、当該着信又は電子メール受信に係る前記制限を行うことを特徴とする請求項７に記載の携帯端末装置。
【請求項９】
前記制御手段は、受信メールに関連付けられた重み付け情報を取得し、前記重み付け情報に基づき、受信メールごとに、受信動作を制限するか否かを判断することを特徴とする請求項７に記載の携帯端末装置。
【請求項１０】
前記制限は、着信拒否であることを特徴とする請求項７又は８に記載の携帯端末装置。
【請求項１１】
前記制限は、電子メールの受信通知音の出力停止あるいは音量減少であることを特徴とする請求項７から９のいずれか一の項に記載の携帯端末装置。
【請求項１２】
前記制御手段は、前記タイマの動作中に前記無線通信機能による着信又は電子メール受信を監視し、着信又は電子メール受信を検出すると、当該発信アドレスを判定し、前記記憶手段から着信・メール受信条件を読み出し、前記発信アドレスと前記着信・メール受信条件の一致／不一致を判断することを特徴とする請求項８に記載の携帯端末装置。
【請求項１３】
前記制御手段は、前記タイマの動作中に前記無線通信機能による着信又は電子メール受信を監視し、着信又は電子メール受信を検出し、着信又は電子メール受信に係る音声出力を許可する場合、前記付加機能の動作を停止すると共に前記付加機能の音声再生動作状態を示すパラメータを記憶手段に保持し、着信又は電子メール受信処理の終了後に、前記パラメータに基づき、前記付加機能の音声出力動作を再開することを特徴とする請求項１から１２のいずれか一の項に記載の携帯端末装置。
【請求項１４】
無線通信機能と、音声出力を伴う付加機能とを含む複数の処理機能と、タイマとを有する携帯端末装置の制御方法であって、
前記タイマの動作の指示を入力する過程と、
前記指示に基づき、前記付加機能の動作中に前記タイマを起動する過程と、
前記無線通信機能と前記付加機能とが動作中に、前記タイマがタイムアウトすると、前記付加機能の動作を停止する過程と、
を含むことを特徴とする携帯端末装置の制御方法。
【請求項１５】
前記タイマの動作中に前記無線通信機能による着信又は電子メール受信に係る音声出力を許可する場合、前記付加機能の動作を停止すると共に前記付加機能の音声再生動作状態を示すパラメータを記憶手段に記憶する過程と、
着信又は電子メール受信処理の終了後に、前記記憶したパラメータに基づき、前記付加機能の音声出力動作を再開する過程と、
をさらに含むことを特徴とする請求項１４に記載の携帯端末装置の制御方法。
【発明の詳細な説明】
【技術分野】
【０００１】
本発明は、携帯電話機などの携帯端末装置及びその制御方法に関する。
【背景技術】
【０００２】
近年、携帯電話機は電話機としての機能の他に音楽再生機能、電子メール送受信機能、Ｗｅｂ閲覧機能、テレビジョン放送受信機能、ラジオ放送受信機能、ゲーム機能等の各種付加機能を有するものがある（例えば、特許文献１参照）。また、それら付加機能使用時には電話機としての機能を停止し、各付加機能の専用端末として機能するものや、一旦停止した電話機としての機能を自動的に復帰するものが知られている（例えば、特許文献２、３参照）。また、携帯電話機の主電源をタイマによって自動的にオン／オフするものが知られている。
【特許文献１】特開２００２−２０４２９８号公報
【特許文献２】特開２００２−２２３２７１号公報
【特許文献３】特開２００２−２３２９５９号公報
【発明の開示】
【発明が解決しようとする課題】
【０００３】
しかし、上述した従来の携帯電話機では、ユーザが就寝時に上記した付加機能を利用しながら眠りにつくという利用形態が十分に考慮されていない。例えば、音楽再生機能を使用して音楽を聴きながら就寝する場合、通常、ユーザは眠りにつく前に音楽再生機能の動作を停止する操作を行ったり、或いは携帯電話機の電源を切る操作を行っているが、このような操作を就寝直前に行うのは煩わしく安らかに眠りにつくことを妨げかねない。また、上記した従来の主電源の自動オフ機能を利用する場合には、付加機能のみならず、電話機としての機能までも停止することになるので、使い勝手がよろしくない。
【０００４】
本発明は、このような事情を考慮してなされたもので、その目的は、無線通信機能および付加機能を有する携帯端末装置において、付加機能のみの動作を自動的に停止することが可能な携帯端末装置及びその制御方法を提供することにある。
【課題を解決するための手段】
【０００５】
上記の課題を解決するために、本発明に係る携帯端末装置は、無線通信機能と、音声出力を伴う付加機能とを含む複数の処理機能を有する携帯端末装置において、前記付加機能の動作中に起動するタイマと、前記タイマの動作の指示を入力する入力手段と、前記無線通信機能と前記付加機能とが動作中に、前記タイマがタイムアウトすると、前記付加機能の動作を停止する制御手段とを備えたことを特徴とする。
【０００６】
本発明に係る携帯端末装置においては、前記制御手段は、前記タイマの計時経過時間を取得し、該計時経過時間に応じて前記音声出力の出力量を変更することを特徴とする。
【０００７】
本発明に係る携帯端末装置においては、出力値を記憶する記憶手段を備え、前記付加機能は、前記記憶手段に記憶される出力値に応じた出力量での音声出力を行い、前記制御手段は、前記出力値を更新することにより前記計時経過時間に応じた音声出力の出力量を変更することを特徴とする。
【０００８】
本発明に係る携帯端末装置においては、前記制御手段は、前記計時経過時間に応じて前記出力値を段階的に減少させることを特徴とする。
【０００９】
本発明に係る携帯端末装置においては、前記タイマは、前記入力手段からの指示によるタイマ時間を計時し、タイムアウト時に割込み信号を発生し、前記制御手段は、前記付加機能の動作中に前記割込み信号を監視し、前記割込み信号の検出時に前記付加機能のみの動作を停止することを特徴とする。
【００１０】
本発明に係る携帯端末装置においては、前記タイマは、前記計時経過時間を示す割込み信号を発生し、前記制御手段は、前記タイマからの割込み信号に基づいて計時経過時間を判断することを特徴とする。
【００１１】
本発明に係る携帯端末装置においては、前記制御手段は、前記入力手段により前記タイマの動作が指示されると、前記無線通信機能による着信又は電子メール受信の動作を制限することを特徴とする。
【００１２】
本発明に係る携帯端末装置においては、着信・メール受信条件を記憶する記憶手段を備え、前記制御手段は、着信又は電子メール受信時に発信アドレスを判定し、該発信アドレスが、前記着信・メール受信条件に基づき、着信・メール受信可に指定された条件に不一致である場合に、当該着信又は電子メール受信に係る前記制限を行うことを特徴とする。
【００１３】
本発明に係る携帯端末装置においては、前記制御手段は、受信メールに関連付けられた重み付け情報を取得し、前記重み付け情報に基づき、受信メールごとに、受信動作を制限するか否かを判断することを特徴とする。
【００１４】
本発明に係る携帯端末装置においては、前記制限は、着信拒否であることを特徴とする。
【００１５】
本発明に係る携帯端末装置においては、前記制限は、電子メールの受信通知音の出力停止あるいは音量減少であることを特徴とする。
【００１６】
本発明に係る携帯端末装置においては、前記制御手段は、前記タイマの動作中に前記無線通信機能による着信又は電子メール受信を監視し、着信又は電子メール受信を検出すると、当該発信アドレスを判定し、前記記憶手段から着信・メール受信条件を読み出し、前記発信アドレスと前記着信・メール受信条件の一致／不一致を判断することを特徴とする。
【００１７】
本発明に係る携帯端末装置においては、前記制御手段は、前記タイマの動作中に前記無線通信機能による着信又は電子メール受信を監視し、着信又は電子メール受信を検出し、着信又は電子メール受信に係る音声出力を許可する場合、前記付加機能の動作を停止すると共に前記付加機能の音声再生動作状態を示すパラメータを記憶手段に保持し、着信又は電子メール受信処理の終了後に、前記パラメータに基づき、前記付加機能の音声出力動作を再開することを特徴とする。
【００１８】
本発明に係る携帯端末装置の制御方法は、無線通信機能と、音声出力を伴う付加機能とを含む複数の処理機能と、タイマとを有する携帯端末装置の制御方法であって、前記タイマの動作の指示を入力する過程と、前記指示に基づき、前記付加機能の動作中に前記タイマを起動する過程と、前記無線通信機能と前記付加機能とが動作中に、前記タイマがタイムアウトすると、前記付加機能の動作を停止する過程とを含むことを特徴とする。
【００１９】
本発明に係る携帯端末装置の制御方法においては、前記タイマの動作中に前記無線通信機能による着信又は電子メール受信に係る音声出力を許可する場合、前記付加機能の動作を停止すると共に前記付加機能の音声再生動作状態を示すパラメータを記憶手段に記憶する過程と、着信又は電子メール受信処理の終了後に、前記記憶したパラメータに基づき、前記付加機能の音声出力動作を再開する過程とをさらに含むことを特徴とする。
【発明の効果】
【００２０】
本発明によれば、無線通信機能および音声出力を伴う付加機能を有する携帯端末装置において、付加機能のみの動作を不自由なく自動的に停止することができる。
【発明を実施するための最良の形態】
【００２１】
以下、図面を参照し、本発明の実施形態について説明する。本実施形態においては、携帯端末装置の具体的な例として携帯電話機を挙げて説明する。
図１は、本発明の一実施形態に係る携帯電話機１の構成を示すブロック図である。図１において、制御部１１は、ＣＰＵ等から構成されており、携帯電話機１の各部を制御する。メモリ１２は、制御部１１のＣＰＵで実行される各種プログラムや各種データを記憶する。外部メモリ１３は、メモリカード等の着脱可能なメモリであり、制御部１１からデータを読み書きすることができる。キー操作部１４は、電話番号等の入力用のテンキー、各種ファンクションキー等を有し、入力データを制御部１１に出力する。表示部１５は、表示パネル、例えば液晶表示パネルを有し、制御部１１から入力される表示データを画面表示する。
【００２２】
無線部１６は、基地局との間で無線信号をアンテナを介して送受信し、音声通話やデータ通信のための無線通信接続を行う。音声処理部１７は、制御部１１から入力される音声データをスピーカ１８から再生し、また、マイク１９から入力される音声信号を音声処理した音声データを制御部１１に出力する。タイマ２０は、制御部１１からセットされたタイマ時間の計時を行い、計時完了によるタイムアウトを割込み信号を用いて制御部１１に通知する。また、タイマ２０は、制御部１１からセットされた計時経過時間に割込み信号を発生することができる。この割込み信号により、制御部１１は、計時途中の計時経過時間を知ることができる。
【００２３】
メモリ１２には、携帯電話機１の主制御プログラムの他に、各種付加機能を実現するためのプログラムが記憶されている。制御部１１は、そのプログラムを実行することにより各付加機能を実現する。付加機能としては、音楽再生機能、電子メール送受信機能、Ｗｅｂ閲覧機能、テレビジョン放送受信機能、ラジオ放送受信機能、ゲーム機能等の各種機能がある。
【００２４】
例えば、音楽再生機能の動作時には、制御部１１はメモリ１２又は外部メモリ１３に保存されている音楽データを読み出して音声処理部１７に出力し、スピーカ１８から再生させる。
【００２５】
また、電子メール送受信機能の動作時において、メール送信時には、制御部１１はメモリ１２又は外部メモリ１３に保存されている送信メールデータを読み出して無線部１６に出力し、無線送信させる。メール受信時には、制御部１１は無線部１６により受信した受信メールデータを受け取ってメモリ１２又は外部メモリ１３に保存し、メール受信ありをメール受信通知音の出力又はメール受信通知画像の画面表示により報知する。メール受信通知画像は、アイコンのような小さい画像であり、表示面面上に表示する位置が規定されている。着信音やメール受信通知画像のデータはメモリ１２に記憶されている。
【００２６】
また、制御部１１は、携帯電話機１の一制御機能として、付加機能の動作を制御する。以下、この制御方法について詳細に説明する。
【００２７】
［第１実施形態］
初めに、第１実施形態として、無線通信機能の動作中（着信待ち受け可能な状態）に付加機能を動作させる際における付加機能のみの動作を自動的に停止する機能（以下、スリープタイマ機能と称する）を説明する。ここでは、付加機能の一例として音楽再生機能を挙げて説明する。
図２は、本発明の第１実施形態に係る制御フロー図である。スリープタイマ機能では、タイマ２０を使用して付加機能（本実施例では音楽再生機能）の動作を停止するまでの時間を計時する。また、その計時値に応じて段階的に付加機能の動作を制限する（本実施例では音楽再生時の音量を制限する）。また、スリープタイマ機能の動作設定メニューを有し、このメニューに従ってユーザがスリープタイマ機能の動作を設定できるようにする。例えば、付加機能の動作停止までの時間や、段階的に付加機能の動作を制限することの有無、段階的に付加機能の動作を制限するときの開始時間および時間間隔および制限量などを設定することができるようにする。また、それら設定値のデフォルト値を有し、ユーザにより未設定の設定値についてはデフォルト値を使用する。
【００２８】
図２において、携帯電話機１は音楽再生機能の動作中である。この動作時において、制御部１１は、メモリ１２に保存されている音量レベル（出力値）を読み出して音声処理部１７に通知する。音声処理部１７はその音量レベルで再生を行う。なお、このときの出力される音量を出力量とする。
【００２９】
先ず、ユーザが、音楽再生機能の動作中にキー操作し、スリープタイマ機能の動作設定メニューを表示させて、音楽再生機能の動作停止までの時間、段階的に音楽再生機能の動作を制限するときの開始時間、該段階的に動作制限するときの時間間隔および制限量を設定する。図２の例では、音楽再生機能の動作停止までの時間は例えば１０分である。そして、音楽再生時の音量が、音楽再生機能の動作停止５分前から段階的に、１分間隔でレベル５から１レベルずつ減少するように設定されている。
【００３０】
このユーザ設定が終了すると、制御部１１は、図２の処理を開始し、タイマ２０に対して上記スリープタイマ機能の設定値を設定し、計時を開始させる（ステップＳ１）。上記設定値により、タイマ時間は１０分、計時途中に割込み信号を発生する計時経過時間は５分、６分、７分、８分、９分である。これにより、タイマ２０は、計時を開始してから、５分経過後、６分経過後、７分経過後、８分経過後、９分経過後、そして１０分経過後の各時点で割込み信号を発生する。つまり、割込み信号は合計６回発生する。
【００３１】
次いで、制御部１１は、最初の割込み信号を受けると（この時点は計時開始から５分経過後、つまり音楽再生機能の動作停止５分前である）、メモリ１２に保存されている音量レベルを読み出し、この音量レベルがレベル６以上であるか否かを判断する（ステップＳ２）。この結果、レベル６以上であるならば、メモリ１２に保存する音量レベルをレベル５に書き換え、音声処理部１７に音量レベルの変更「レベル５」を通知する（ステップＳ３）。これにより、音声処理部１７は音量をレベル５に落とす。
【００３２】
次いで、制御部１１は、２番目の割込み信号を受けると（この時点は計時開始から６分経過後、つまり音楽再生機能の動作停止４分前である）、メモリ１２に保存されている音量レベルを読み出し、この音量レベルがレベル５以上であるか否かを判断する（ステップＳ４）。この結果、レベル５以上であるならば、メモリ１２に保存する音量レベルをレベル４に書き換え、音声処理部１７に音量レベルの変更「レベル４」を通知する（ステップＳ５）。これにより、音声処理部１７は音量をレベル４に落とす。
【００３３】
同様にして、制御部１１は、３、４、５番目の割込み信号を受けると（各時点は計時開始から７分経過後、８分経過後、９分経過後、つまり音楽再生機能の動作停止３分前、２分前、１分前である）、毎回メモリ１２に保存されている音量レベルを読み出して所定レベル（各々レベル４、３、２）以上であるか否かを判断し（ステップＳ６、Ｓ８、Ｓ１０）、所定レベル以上であるならば１レベル減じてメモリ１２に保存する音量レベルを書き換え、音量レベルの変更を音声処理部１７に通知する（ステップＳ７、Ｓ９、Ｓ１１）。これにより、音声処理部１７は音量を段階的に落とす。
【００３４】
次いで、制御部１１は、６番目の割込み信号を受けると（この時点は計時開始から１０分経過後、つまりタイムアウトである）、音楽再生機能の動作を停止する。具体的には、メモリ１２又は外部メモリ１３からの音楽データの読み出しを停止し、音声処理部１７に再生停止を通知する。これにより、音楽再生が停止する。
【００３５】
上述した第１実施形態によれば、無線通信機能と、音楽再生機能やテレビジョン放送受信機能など、複数の処理機能を有していても、音楽再生機能のみの動作を自動的に停止させ、待ち受けを続けることができる。従って、ユーザは無線通信機能については継続して利用することができる。例えば、音声通話や電子メール受信などは継続して待ち受けすることができる。
【００３６】
また、音楽再生時の音量を段階的に減少することができるので、音楽再生停止を自然な形で実現することができる。
【００３７】
なお、本実施形態では音楽再生機能について説明したが、他の付加機能であるテレビジョン放送受信機能、ラジオ放送受信機能、ゲーム機能等の付加機能についても同様にしてスリープタイマ機能による自動停止および音量の段階的減少を行うことができる。
【００３８】
また、本実施形態ではタイマ２０からの割込み信号によって計時経過時間を取得したが、タイマ２０の計時経過時間を制御部１１から読み出すことができるようにしてもよい。
さらに、タイムアウトにより付加機能が停止されると、メモリ１２に保存される音量レベルを、上記ステップＳ１（すなわちスタート時点）の段階での音量レベルに戻すことが好ましい。ユーザの意志で付加機能を終了させた場合も同様である。これにより、次回、付加機能使用時に、音量レベルが最小値になってしまっている、ということがなくなる。
【００３９】
［第２実施形態］
次に、第２実施形態として、上記した音楽再生機能の動作を制御するスリープタイマ機能の動作中において、他の機能の動作を制限する機能を説明する。ここでは、他の機能として着信および電子メール受信機能を例に挙げて説明する。図３は、本発明の第２実施形態に係る制御フロー図である。
【００４０】
先ず、制御部１１は、音楽再生機能に係るスリープタイマ機能の動作を開始すると、図３において、無線部１６による着信およびメール受信を監視する（ステップＳ２１）。次いで、着信があると、制御部１１は、メモリ１２に保持されている着信・メール受信条件を読み出し、全て着信拒否に設定されているか否かを判断する（ステップＳ２２）。この結果、全て着信拒否に設定されているならば、着信拒否の処理を実行する（ステップＳ２３）。例えば、着信者が就寝中である旨のメッセージデータをメモリ１２から読み出し、該メッセージデータを発信者に対して送出した後に通信を切断する。一方、着信拒否が全てではない場合はステップＳ２４に進む。
【００４１】
次いで、ステップＳ２４では、制御部１１は、発信アドレスを判定し、この発信アドレスが、着信・メール受信条件に基づき、着信・メール受信可に指定された条件に一致するか否かを判断する。この結果、条件に不一致ならば、メール受信時にはメール受信ありをメール受信通知画像の画面表示のみにより報知する（ステップＳ２５）。従って、メール受信通知音の出力は行わない。音声通話時には上記ステップＳ２３と同様に着信拒否の処理を実行する（ステップＳ２６）。
【００４２】
一方、上記ステップＳ２４の判断の結果、条件に一致ならば、制御部１１は、音楽再生を一時的に停止し、再生再開のためのデータをバックアップする処理を行う（ステップＳ２７）。具体的には、メモリ１２又は外部メモリ１３からの音楽データの読み出しを停止し、音声処理部１７に再生停止を通知するとともに、再生停止位置（音声ファイルの格納アドレスや再生トラックやフレームナンバー、再生時間など）や音量などの音声再生動作状態を示すパラメータをメモリ１２に記憶する。なお、タイマ２０の動作は停止しない。
【００４３】
次いで、制御部１１は、着信・メール受信処理を行う（ステップＳ２８）。ここでは、メール受信時には、メール受信通知音の出力又はメール受信通知画像の画面表示によりメール受信ありを報知する。また、音声通話時には呼び出し音の出力を行う。
【００４４】
次いで、着信・メール受信処理が終了すると、制御部１１は、タイマ２０のタイムアウト前であるか否かを判断する（ステップＳ２９）。この結果、タイムアウト前ならば、バックアップした音声再生動作状態を示すパラメータをメモリ１２から読み出し、このパラメータに基づき、再生中断時点と同じ音量で再生停止位置からの音楽再生を再開する（ステップＳ３０）。一方、タイムアウトならば、バックアップの復帰は行わずそのまま処理を終了する。
【００４５】
上述した第２実施形態によれば、スリープタイマ機能の動作中の着信・メール受信時の動作を制限することができ、音楽再生動作の無用な中断を防ぐことができる。これにより、就寝時の音楽聴取が音声通話やメール受信によって不本意に妨げられることを防止することができる。また、音楽再生動作の中断時にはバックアップ処理を行うことにより、再生再開時に中断時点の動作状態に復帰して音楽再生を再開することができる。これにより、中断前の音楽聴取状態にいち早く復帰できるので、突然の音楽再生中断によるユーザの心理的負担を軽減する効果が期待できる。
【００４６】
なお、上述した第２実施形態において、携帯電話機１が音楽再生時に使用するスピーカとは別に、メール受信通知音の出力時に使用するスピーカを備えているときは、上記ステップＳ２５において、メール受信通知音の音量を減少するようにしてもよい。
さらに、上述した第２実施形態において、スリープタイマ機能とは別に、アラーム機能を設け、これを連動させるとなお良い。すなわち、スリープタイマ機能を起動して就寝した後は、上記図３に示す処理の着信・メール受信の規制が有効となり、目覚ましとしてのアラームが鳴動する時間になると、着信・メール受信の規制を自動的に解除する。これにより、着信・メール受信の規制の解除し忘れを防止できる。
【００４７】
以上、本発明の実施形態を図面を参照して詳述してきたが、具体的な構成はこの実施形態に限られるものではなく、本発明の要旨を逸脱しない範囲の設計変更等も含まれる。
例えば、本発明に係る携帯端末装置は、上述した実施形態のような携帯電話機に限定されず、無線通信機能を有する携帯型の端末装置であればよい。例えば、携帯型の情報機器、コンピュータゲーム機、音楽記録再生機などであってもよい。
【００４８】
また、上述した実施形態に係るスピーカは、内蔵される呼び出し音再生用のスピーカや音楽再生用のスピーカ、又は、外部接続されるイヤホンやヘッドホン型のスピーカのいずれであってもよい。また、制御部は、外部接続インタフェースの状態を判別することにより、いずれのスピーカから出力すべきかを判定するようにしてもよい。
【００４９】
また、本発明に係る携帯端末装置は、上記第１及び第２実施形態の機能を有し、以下に示すような音楽プレーヤを実現するものであってもよい。以下に示す実施例の説明では、上記図１、図２、図３の各部、各ステップに対応する部分には同一の符号を付加する。
【００５０】
［携帯端末装置の実施例］
ユーザは、ネットワーク上の所定のサーバから課金を伴い、音楽データを購入する。購入された音楽データは、携帯端末装置の内部メモリ１２或いは外部メモリ１３に格納される。音楽データとしては、圧縮された（コード化された）データであり、例えばＭＰ３などである。携帯端末装置は、圧縮音楽データをデコードするコーデック有する音声処理部１７を備える。そして、ユーザの音楽再生指示が入力されると、制御部１１は音声処理部１７に対して、ワークエリアをメモリ１２上に確保し、圧縮音楽データのデコードに備えるよう指示する。そして、制御部１１は再生可能な圧縮音楽データをメモリ１２、１３内から検索し、再生可能な音楽のリストを作成するとともに表示部１５に該リストを表示させる。ユーザはこのリスト中のいずれか再生したい音楽を指定して再生を指示する。この後、音声処理部１７は、指定された圧縮音楽データをコーデックによりデコードし、スピーカ１８から出力する。なお、スピーカ１８は、内蔵される呼び出し音再生用のスピーカ、音楽再生用のスピーカ、又は、外部接続されるイヤホン或いはヘッドホン型のスピーカのいずれであってもよい。また、制御部１１は、外部接続インタフェースの状態を判別することにより、いずれのスピーカから出力すべきかを判定してもよい。
【００５１】
制御部１１は、一旦、音声処理部１７にデコードおよび音声出力を指示すると、以降は割り込みの発生を監視する。割込みの種類には、音楽データ再生終了やエラー発生などの音声処理部１７からの通知、キー操作部１４からの信号（ステップＳ１）、無線部１６からの着信又はメール受信の通知（ステップＳ２１）、タイマ２０からの信号（ステップＳ２、Ｓ４、Ｓ６、Ｓ８、Ｓ１０、Ｓ１２）、バッテリの残量低下の通知などがある。制御部１１は、音楽再生の停止命令や他曲指定、音量の変更、再生の再開などの音楽再生に関する処理を要すると判断すると、音声処理部１７に対して改めて命令する。これにより、音楽再生中におけるメール作成などの他の処理をマルチタスク的に処理する。特に、バックアップ状態で停止する命令を音声処理部１７に行う場合は、デコードした音楽データをワークエリア内に保持したままにしておき、ワークエリアを開放せず、その再生停止するアドレスおよび音量をワークエリアに記憶した上で、音声処理部１７に対し再生停止を指示する（ステップＳ２７）。そして、再生を再開するときには、ワークエリアに記憶した再生停止アドレスおよび音量に基づいて、再生停止時点と同じ状態で再生を再開させる（ステップＳ３０）。
【００５２】
制御部１１は、無線部１６による受信信号中の着信信号の検出により、自己に対する着信ありを認識する（ステップＳ２１）。この時、自装置の内部状態を判定する（ステップＳ２２、Ｓ２４）。そして、着信の報知が可能であると判断すると、スピーカ１８から着信音を出力する（ステップＳ２８）。ここで用いる音声データは、上記したＭＰ３等の圧縮音楽データであってもよく、或いはＭＩＤＩ（Musical Instrument Digital Interface）データなどであってもよい。
【００５３】
上記着信発生時に（ステップＳ２１）、制御部１１は、当該着信が音声通話であるか、或いはメール受信であるか、或いはショートメッセージ受信であるかを着信信号から判定する。さらに、制御部１１は、音楽プレーヤが再生中であるか否か、タイマ２０が起動しているか否かなどを判定する。そして、音楽再生を中断し、着信処理を優先するならば（ステップＳ２４、ＹＥＳ）、上記したバックアップ処理を行った上で、音声処理部１７の動作を一旦停止させ（ステップＳ２７）、着信報知用の音声データをメモリ１２から読み出す（ステップＳ２８）。ここで、該着信音データの再生時にデコードが必要ならばそのワークメモリを確保し、音声処理部１７に対して着信音データの再生を指示する。この後、制御部１１は再び割り込みの監視処理に戻り、キー入力や筐体の開閉検出信号や着信信号の消滅などを監視する。次いで、通話への移行が指示されると、制御部１１は、通話のための音声処理へ移行するために音声処理部１７による着信音再生を停止させ、通話用コーデックを起動し、スピーカ１８およびマイク１９を用いた通話処理を開始する（ステップＳ２８）。
【００５４】
また、制御部１１は、受信メールに関連付けられた重み付け情報に基づき、受信メールごとに、受信動作を制限するか否かを判断してもよい。この判断は上記図３のステップＳ２４で行う。該重み付け情報とは、例えば受信メールのヘッダ情報中の緊急度である。
【００５５】
上記緊急度は、送信者が送信メールの作成時に指定することができる。例えば、緊急度が高、中、低の３段階のいずれかを指定可能である。その指定された緊急度に応じて送信メールのヘッダ情報は作成される。
【００５６】
メールを受信するときの手順としては、先ず、基地局から端末ＩＤが指定されるとともに、呼び出し種別の指定がなされた上で、端末の呼ぴ出しが行われる。次いで、端末が応答すると次の情報取得用のチャネルが基地局から指定され、このチャネルに移行する。移行後は、先ず受信メールのヘッダ情報を取得することができる。このヘッダ情報には、送信元アドレス、宛先アドレス、件名、緊急度、本文の一部、全文取得時にアクセスするメールサーバのアドレス、メールＩＤなどが含まれる。ヘッダ情報の取得ルーチンが終了すると、一旦通信を切断し、取得したヘッダ情報を基に、新たにメールサーバにアクセスし、メールＩＤに対応するメールの全文を取得する。
【００５７】
上記したメール受信手順において、制御部１１は、受信メールのヘッダ情報を取得すると、該ヘッダ情報に基づいて当該受信メールの緊急度を判定する（ステップＳ２１）。そして、この判定した緊急度に基づき、当該受信メールの受信動作を制限するか否かを判断する（ステップＳ２４）。例えば、緊急度が高ならば制限なしとし、緊急度が中或いは低ならば制限ありとする。
【図面の簡単な説明】
【００５８】
【図１】本発明の一実施形態に係る携帯電話機１の構成を示すブロック図である。
【図２】本発明の第１実施形態に係る制御フロー図である。
【図３】本発明の第２実施形態に係る制御フロー図である。
【符号の説明】
【００５９】
１…携帯電話機、１１…制御部、１２…メモリ、１３…外部メモリ、１４…キー操作部、１５…表示部、１６…無線部、１７…音声処理部、１８…スピーカ、１９…マイク、２０…タイマ。
【図１】
2006203427.tif 000003
【図２】
2006203427.tif 000004
【図３】
2006203427.tif 000005